(57)【要約】  【課題】片面がフォーマルウェアで他方の面がカジュアルウェアとなっているリバーシブルウェアに関し、商標やサイズ、品質などを表示するタグ類を見苦しくないように取付け可能とする。  【解決手段】隠しボタンとなるように、前立て部の内側にボタン孔立て部を重ねてあり、前立て部とボタン孔立て部との間又はポケット内に品質表示タグおよび／又はサイズタグを取付け、隠してあるので、品質表示タグやサイズタグが見えて見苦しくなるという問題は生じない。消費者に見せることを目的としたブランドタグは、カジュアルデザイン面の裾に縫い付ける。あるいは、カジュアルデザイン面の胸ポケット表布の表面にブランドタグを縫い付けたり、胸ポケット表布の上端にブランドタグを継ぎ足してあるため、ブランドタグが目立ち、胸ポケットの装飾効果やブランドの広告宣伝効果も増す。【選択図】図６
0003133081.tif 000002
【実用新案登録請求の範囲】
【請求項１】
片面がフォーマルなデザインで他方の面がカジュアルなデザインのリバーシブルウェアにおいて、隠しボタンとなるように、前立て部の内側にボタン孔立て部を重ねてあり、前立て部とボタン孔立て部との間又はポケット内に少なくとも品質表示タグおよび／又はサイズタグを取付け、隠してあることを特徴とするリバーシブルウェア。
【請求項２】
少なくともブランドタグは、カジュアルデザインの面に取付けてあることを特徴とする請求項１に記載のリバーシブルウェア。
【請求項３】
裏返したら前記の前立て部となる前記ボタン孔立て部に、ボタン孔と、他方のボタン孔立て部のボタン孔に嵌め込むボタンとを隣接配置してあり、スタンドカラーのボタンは、表裏両面に取付け、ボタン孔は単一とし、表裏共用としたことを特徴とする請求項１または請求項２に記載のリバーシブルウェア。
【請求項４】
カジュアルデザイン面の布も黒系の色としたことを特徴とする請求項１、請求項２または請求項３に記載のリバーシブルウェア。
【請求項５】
カジュアルデザイン面の胸ポケット表布の表面にブランドタグを重ねて縫い付けてあるか又は胸ポケット表布の上端にブランドタグを継ぎ足してあることを特徴とする請求項１から請求項４までのいずれかの項に記載のリバーシブルウェア。
【考案の詳細な説明】
【技術分野】
【０００１】
本考案は、裏返しても着られる裏表兼用のウェア、特に片面がフォーマルウェアで他方の面がカジュアルウェアとなっているリバーシブルウェアに関する。
【背景技術】
【０００２】
特開2006−233340において、普段に着用するカジュアルウエアと特別な状況でのみ着用するフォーマルウエアとを適宜に使い分けることができるリバーシブルウェアが提案されている。すなわち、カジュアルに使用する第１の上着の裏地と、フォーマルに使用する第２の上着の裏地とを重ね合わせて作製したリバーシブルウェアであり、例えば、冠婚葬祭や式典などがある式場に向かう場合、その近くまではカジュアルウエアを上に着用した状態で行き、式場の近くに来たら裏返してフォーマルウエアを上に着用した状態にする、というように適宜に使い分けることができる。これにより、式場へ行く途中に周りの人の目が気になることもなく、フォーマルウエアを持ち運ばなくても良い。
【特許文献１】特開２００６−２３３３４０
【考案の開示】
【考案が解決しようとする課題】
【０００３】
このように、カジュアルウエアとフォーマルウエアが裏表になったリバーシブルウェアだと、状況に応じて１枚のウエアを裏返して着るだけで足りるので、特別にフォーマルウエアを持ち歩く必要がなく、便利である。特に、暑い夏場に効果が大きい。したがって、本考案も、片面がフォーマルなデザインで他方の面がカジュアルなデザインのリバーシブルウェアを対象としている。ところで、商標やサイズ、材質などを表示するタグ類は襟の内側に取付けるのが普通であるが、リバーシブルウェアの場合は、襟の内側に取付けることができない。本考案の技術的課題は、このような問題に着目し、商標やサイズ、品質などを表示するタグ類を見苦しくないように取付け可能とすることにある。
【課題を解決するための手段】
【０００４】
本考案の技術的課題は次のような手段によって解決される。請求項１は、片面がフォーマルなデザインで他方の面がカジュアルなデザインのリバーシブルウェアにおいて、隠しボタンとなるように、前立て部の内側にボタン孔立て部を重ねてあり、前立て部とボタン孔立て部との間又はポケット内に少なくとも品質表示タグおよび／又はサイズタグを取付け、隠してあることを特徴とするリバーシブルウェアである。このように、隠しボタンとなるように、前立て部の内側にボタン孔立て部を重ねてあり、前立て部とボタン孔立て部との間又はポケット内に品質表示タグおよび／又はサイズタグを取付け、隠してあるので、品質表示タグやサイズタグが見えて見苦しくなるという問題は生じない。
【０００５】
請求項２は、少なくともブランドタグは、カジュアルデザインの面に取付けてあることを特徴とする請求項１に記載のリバーシブルウェアである。カジュアルデザイン側の面であれば、どの位置でもよい。ブランドタグは、その商品や企業の商標を表示してあって、広告宣伝を目指した表示内容とすることが望ましいので、請求項２のように、消費者に見せることを目的としたブランドタグは、カジュアルデザインの面に取付けて、常に見えるようにしても違和感がない。ブランドタグの内容や表現方法、取付け方によっては、カジュアルデザイン面の表現とマッチさせることもできる。
【０００６】
請求項３は、裏返したら前記の前立て部となる前記ボタン孔立て部に、ボタン孔と、他方のボタン孔立て部のボタン孔に嵌め込むボタンとを隣接配置してあり、スタンドカラーのボタンは、表裏両面に取付け、ボタン孔は単一とし、表裏共用としたことを特徴とする請求項１または請求項２に記載のリバーシブルウェアである。このように、裏返したら前記の前立て部となる前記ボタン孔立て部に、ボタン孔と、他方のボタン孔立て部のボタン孔に嵌め込むボタンとを隣接配置してあるので、フォーマルデザイン面を表にして着る場合でも、カジュアルデザイン面を表にして着る場合でも、隠しボタンとなる。また、スタンドカラーのボタンは表裏両面に取付け、ボタン孔は単一としてあるので、片方のボタンは通常と全く同じ要領でボタン孔に外向きに嵌め込み、裏返した際は前記ボタンは、その内側のボタン孔に内向きに嵌め込むことで、ボタン孔は表裏共用とする。この場合、ボタン孔に嵌め込まないボタンは使用しない飾りボタンとなるが、外側に露出していて、あたかもボタン孔を貫通して露出しているかのように見え、アンバランスにならないので、不自然さは生じない。
【０００７】
請求項４は、カジュアルデザイン面の布も黒系の色としたことを特徴とする請求項１、請求項２または請求項３に記載のリバーシブルウェアである。このように、カジュアルデザイン面の布も黒系の色としたため、フォーマルデザイン面を表にして着ている場合に、風を受けたり動いたりして裾が反転しても、派手な明るいデザインでなく、黒系のフォーマルデザイン面と同じ系統の黒調であるため、違和感は生じない。
【０００８】
請求項５は、カジュアルデザイン面の胸ポケット表布の表面にブランドタグを重ねて縫い付けてあるか又は胸ポケット表布の上端にブランドタグを継ぎ足してあることを特徴とする請求項１から請求項４までのいずれかの項に記載のリバーシブルウェアである。このように、カジュアルデザイン面の胸ポケット表布の表面にブランドタグを重ねて縫い付けてあるため、ブランドタグが目立ち、胸ポケットの装飾効果も兼ねる。或いは、胸ポケット表布の上端にブランドタグを継ぎ足して、胸ポケット表布の一部を構成しているため、デザイン的にもユニークで目立つので、ブランドの広告宣伝効果が増す。
【考案の効果】
【０００９】
請求項１のように、片面がフォーマルなデザインで他方の面がカジュアルなデザインのリバーシブルウェアにおいて、隠しボタンとなるように、前立て部の内側にボタン孔立て部を重ねてあり、前立て部とボタン孔立て部との間又はポケット内に少なくとも品質表示タグおよび／又はサイズタグを取付け、隠してあるので、品質表示タグやサイズタグが見えて見苦しくなるという問題は生じない。
【００１０】
ブランドタグは、その商品や企業の商標を表示してあって、広告宣伝を目指した表示内容とすることが望ましいので、請求項２のように、消費者に見せることを目的としたブランドタグは、カジュアルデザインの面に取付けて、常に見えるようにしても違和感が無い。
【００１１】
請求項３のように、裏返したら前記の前立て部となる前記ボタン孔立て部に、ボタン孔と、他方のボタン孔立て部のボタン孔に嵌め込むボタンとを隣接配置してあるので、フォーマルデザイン面を表にして着る場合でも、カジュアルデザイン面を表にして着る場合でも、隠しボタンとなる。また、スタンドカラーのボタンは表裏両面に取付け、ボタン孔は単一としてあるので、片方のボタンは通常と全く同じ要領でボタン孔に嵌め込み、他方のボタンは、その内側のボタン孔に嵌め込むことで、ボタン孔は表裏共用とする。この場合、ボタン孔に嵌め込まないボタンは使用しない飾りボタンとなるが、外側に露出していて、あたかもボタン孔を貫通して露出しているかのように見え、アンバランスにならないので、不自然さは生じない。
【００１２】
請求項４のように、カジュアルデザイン面の布も黒系の色としたため、フォーマルデザイン面を表にして着ている場合に、風を受けたり動いたりして裾が反転しても、派手な明るいデザインでなく、黒系のフォーマルデザイン面と同じ系統の黒調であるため、違和感は生じない。
【００１３】
請求項５のように、カジュアルデザイン面の胸ポケット表布の表面にブランドタグを重ねて縫い付けてあるため、ブランドタグが目立ち、胸ポケットの装飾効果も増す。また、胸ポケット表布の上端にブランドタグを継ぎ足して、胸ポケット表布の一部を構成すると、デザイン的にもユニークで目立つので、ブランドの広告宣伝効果も増す。
【考案を実施するための最良の形態】
【００１４】
次に本考案によるリバーシブルウェアが実際上どのように具体化されるか実施形態を説明する。図１は、本考案によるリバーシブルウェアにおいて、カジュアルデザイン面１を外（表）側にした状態の正面図である。ＴＢはブランドタグで、カジュアルデザイン面１の裾部に縫い付けてある。裾部の場合、図示のように、例えば脇の下側の位置の裾部１ａが適しているが、これに限定されない。
【００１５】
ブランドタグＴＢに表示するブランドの内容によっては、このように裾部１ａに取付けるのに適しない場合もある。その場合は、胸ポケットの表布１ｐの上端その他にブランドタグＴｂを縫い付けて取付けるのが適していることもある。商標は商品の顔、企業の顔とも言われるので、このように目立ちやすい位置にブランドタグを配置すると、デザイン効果も大きく、自社の商標を広告宣伝としてアピールする上でも有効である。
【００１６】
このように、ブランドタグをカジュアルデザイン面の裾部１ａやポケット表布１ｐの上端に取付ける場合は、商標自体の内容だけでなく、商標を表示する布自体の選択にも配慮し、商標表示布自体もデザインとして生かすことが肝要である。ポケット表布１ｐの上端に取付ける場合、胸ポケット表布１ｐの上端にブランドタグを継ぎ足して、胸ポケット表布１ｐの一部を構成させることも可能である。この場合、継ぎ足すブランドタグ布によって、胸ポケット表布をユニークなデザインにもできる。
【００１７】
図２は、本考案によるリバーシブルウェアにおいて、フォーマルデザイン面２を外（表）側にした状態の正面図であり、前記のブランドタグＴＢは裏面に来るのて、フォーマルデザイン面２を表にして着る場合は、裏に隠れて見えない。このように、フォーマルデザイン面２を表にして着る場合は、胸ポケット表布２ｐは、商標表示に適しない。なお、隠しボタンであるため、図１、図２とも、破線３、５で示すように、左前立て１ｃ、２ｃの背面に隠れている。
【００１８】
図１はボタンを嵌めた状態であるのに対し、図３は、ボタンをボタン孔から外し、左右の前立て１ｃ、１ｂを離した状態の要部正面図である。右前立て１ｂにはボタン３を取付けてあり、ボタン３と上側又は下側に隣接してボタン孔４を開けてある。このボタン孔４は、フォーマルデザイン面２を表にして着る場合のボタン５を嵌め込むための孔であるから、この右前立て１ｂは、フォーマルデザイン面２を表にして着る場合のボタン孔立てとなる。図４は図３の左前立て１ｃを裏返した状態で、フォーマルデザイン面２を表にして着る場合のボタン５とボタン孔６を設けた右前立て２ｂが現れる。したがって、図１のようにボタン３を嵌めた際のＡ−Ａ位置を拡大断面図で示すと、図５のように、右前立て１ｂのボタン３が左前立て１ｃ背面のボタン孔立て２ｂのボタン孔６を貫通し、左前立て１ｃの背面に隠れているので、比翼仕立てになっている。なお、ボタン孔立て２ｂは、図４のようにフォーマルデザイン面２を表にして着る場合の右前立て２ｂである。
【００１９】
図６は図３のＢ−Ｂ位置を拡大して模式的に示す断面図で、１はカジュアルデザイン面、２はフォーマルデザイン面である。カジュアルデザイン面１の前立て１ｃを内側に折り返してなる折り返し布１ｄと、フォーマルデザイン面２の右前立て２ｂを内側に折り返してなる折り返し布２ｄとの間に、サイズタグ７と品質表示タグ８を挟んだ状態で、まとめて縫い糸９で縫い込んである。サイズタグ７と品質表示タグ８は二つ折りになっているが、一重のタグでもよい。10は予備のボタンで、前記の折り返し布２ｄ又は１ｄの内面に縫い付けて仮止めしてある。５は、図４のようにフォーマルデザイン面２を表にして着る場合の右前立て２ｂのボタン５である。このボタン５に隣接して開けてるボタン孔６に、図５のようにカジュアルデザイン面１の右前立て１ｂのボタン３を嵌め込むので、カジュアルデザイン面１の左前立て１ｃの折り返し布１ｄとフォーマルデザイン面２の右前立て２ｂの折り返し布２ｄとの間に隠れて、隠しボタンとなる。なお、ボタン５、３に隣接して開けてあるボタン孔６、４はボタン孔立ての背面に隠れるので見苦しくならない。
【００２０】
このように、カジュアルデザイン面１の前立て折り返し布１ｄとフォーマルデザイン面２の前立て折り返し布２ｄとの間に、サイズタグ７や品質表示タグ８を挟んで取付けたり、予備ボタン１０を収納したり、着脱用ボタン３を隠して隠しボタン構造にしてある。したがって、サイズタグ７や品質表示タグ８や予備ボタン１０が表に現れて見苦しくなるようなことはない。なお、ブランドタグも小型化して一緒に隠し込むこともできる。或いは、ブランドタグは胸ポケットの内側に縫い止めて取付け、外側に露出しないようにすることもできる。
【００２１】
図７は図１のＣ−Ｃ断面図、図８は図２のＤ−Ｄ断面図である。図１、図２のように、スタンドカラーＳでは、バランスの関係上、ボタン１１、１２を露出させている。そのため、図７のように、スタンドカラーＳ1 の右端Ｓｂには、右前立て１ｂのボタン３と同じ側に同じボタン１１を取付けてあり、その内面には飾りボタン１２を取付けてある。したがって、スタンドカラー右端Ｓｂのボタン１１をスタンドカラー左端Ｓｃのボタン孔に外向きに挿通し、露出させてある。その結果、内側の飾りボタン１２は、着用者の首と接することになる。
【００２２】
図８のように、フォーマルデザイン面２を外にして着た場合は、前記のボタン１１は反転状態のスタンドカラー右端Ｓｂのボタン孔から、内側すなわち首側に内向きに挿通する。その結果、挿通ボタン１１は着用者の首に接する。したがって、前記の飾りボタン１２が、反転状態のスタンドカラー左端Ｓｃの外側に露出するので、バランス的に違和感がない。このように、スタンドカラーの右端（左端でも可）の表裏両面にボタンを取付けて、その片方は飾りボタンとする。そして、スタンドカラー他端のボタン孔は単一とし、表裏共用にしてある。
【００２３】
図２のように、フォーマルデザイン面２は黒色又は黒系の色にする場合が多い。その結果、カジュアルデザイン面１の布も黒系の色とすることが好ましい。フォーマルデザイン面２を表にして着ている場合に、風を受けたり動いたりして裾が反転した場合に、派手なカジュアルデザイン面が見えると好ましくない。ところが、黒系のフォーマルデザイン面２と同じく黒系であると、違和感はなく、雰囲気をこわす恐れもない。
【００２４】
図示実施形態は、襟がスタンドカラーの例であるが、開襟シャツのリバーシブルウェアにも適用できることは言うまでもない。ただし、開襟にすると、カジュアルデザインの面を外にして着た場合に、裏側のフォーマルデザイン面が部分的に見える恐れがあるので、それを好まない場合は、左右の襟を閉じるための閉じボタンとボタン孔を設けておくとよい。
【産業上の利用可能性】
【００２５】
以上のように、本考案は、片面がフォーマルなデザインで他方の面がカジュアルなデザインのリバーシブルウェアにおいて、ブランドタグは、カジュアルデザイン面の裾側やポケットに取付けて、積極的に他人から常に見えるようにしてあるので、違和感がない。サイズや品質などを表示するタグ類は、見苦しくないようにボタン隠しの中に取付ける。
【図面の簡単な説明】
【００２６】
【図１】本考案のリバーシブルウェアにおいて、カジュアルデザイン面を外側にした状態の正面図である。
【図２】図１のリバーシブルウェアにおいて、フォーマルデザイン面を外側にした状態の正面図である。
【図３】図１の左前立てと右前立てを離した状態の要部正面図である。
【図４】図３の左前立て部を裏返した状態である。
【図５】図１のＡ−Ａ位置（ボタン位置）の模式拡大断面図である。
【図６】図３のＢ−Ｂ位置（タグ類収納部）の模式拡大断面図である。
【図７】図１のＣ−Ｃ位置の模式拡大断面図である。
【図８】図２のＤ−Ｄ位置の模式拡大断面図である。
【符号の説明】
【００２７】
１  カジュアルデザイン面
１ａ  裾部
ＴＢ  ブランドタグ
１ｐ  胸ポケット表布
１ｂ  右前立て
１ｃ  左前立て
Ｔｂ  ブランドタグ
２  フォーマルデザイン面
２ｐ  胸ポケット表布
２ｂ  右前立て
２ｃ  左前立て
３・５  ボタン
４・６  ボタン孔
７  サイズタグ
８  品質表示タグ
９  縫い糸
１０  予備ボタン
Ｓ１  スタンドカラーのカジュアルウェア面
Ｓ２  スタンドカラーのフォーマルウェア面
１１  挿通用ボタン
１２  飾りボタン
１３  縫い糸
【図１】
0003133081.tif 000003
【図２】
0003133081.tif 000004
【図３】
0003133081.tif 000005
【図４】
0003133081.tif 000006
【図５】
0003133081.tif 000007
【図６】
0003133081.tif 000008
【図７】
0003133081.tif 000009
【図８】
0003133081.tif 000010